(57)【特許請求の範囲】
【請求項１】
長手方向一端側に配された駆動手段により駆動されるカッタ手段と、カッタ手段で裁断された裁断屑を収容する屑箱と、カッタ手段の下方に配設され屑箱内に堆積した裁断屑を均す裁断屑均し装置とを具備するシュレッダにおいて、前記裁断屑均し装置は、カッタ手段の長手方向と直交する水平軸廻りに回転する平板状の回転翼と、この回転翼を前記駆動手段の下側に裁断屑を送り込む方向に回転させる駆動機構と、回転翼を水平にして停止させる停止機構とを備えていることを特徴とするシュレッダ。
【請求項２】
回転翼は複数設けられ、かつ各回転翼は、水平状態で停止した際に隣位する回転翼との先端間寸法が一定値以下となる間隔で配置されていることを特徴とする請求項１記載のシュレッダ。
【請求項３】
裁断屑均し装置は、カッタ手段と一体化されて駆動部ユニットを構成していることを特徴とする請求項１記載のシュレッダ。
【請求項４】
駆動部ユニットは、下端部に排出口を有する角筒状のホッパと、ホッパの上端内部に配設された一対のカッタローラと、ホッパの長手方向一端外部に取付けられて前記カッタローラを駆動する駆動モータと、ホッパの下端内部に配設された回転翼と、ホッパの外部にそれぞれ取付けられた駆動機構および停止機構とを備えていることを特徴とする請求項３記載のシュレッダ。
【請求項５】
駆動部ユニットは、屑箱内が裁断屑で満杯になったことを検出する満杯検出スイッチを備え、停止機構は、満杯検出スイッチによる満杯検出を条件に起動されることを特徴とする請求項３または４記載のシュレッダ。
【発明の詳細な説明】
【０００１】
【発明の属する技術分野】
本発明は、文書等の紙類を裁断するシュレッダに係り、特に屑箱内に堆積した裁断屑を均等に均す裁断屑均し装置の改良に関する。
【０００２】
【従来の技術】
従来から、紙類を裁断するカッタ手段と、カッタ手段で裁断された裁断屑を収容する屑箱とを備えたシュレッダは一般に知られている。
【０００３】
ところで、この種のシュレッダを用いて紙類を裁断した場合、裁断屑は屑箱に山形に堆積することになるため、その頂部を均して均等に収容されるようにする必要がある。
【０００４】
そこで従来は、例えば実願昭５９−１４４７２０号（実開昭６１−６１０３７号）のマイクロフィルムあるいは実願昭６０−２１１２６号（実開昭６１−１３９７３９号）のマイクロフィルム等に示されているように、カッタ手段の下方位置に揺動板を有する裁断屑均し装置を配設し、揺動板を揺動させることにより裁断屑の頂部を平坦に均すようにしている。
【０００５】
【発明が解決しようとする課題】
ところで、従来のシュレッダは、平面形状が正方形でその中央部にカッタ手段が配置されていたが、最近ではオフィスの省スペース化等を考慮して、カッタ手段の長手方向一端側に駆動手段を配置し、平面形状が長方形のシュレッダが主流となりつつある。そして、長方形のシュレッダの場合には、駆動手段の下側にも屑箱が拡大されることになるため、駆動手段の下側にも裁断屑均し装置により裁断屑を送り込む必要がある。
【０００６】
ところが、従来の裁断屑均一装置は揺動板方式を採っているため、駆動手段の下側に裁断屑を送り込むために揺動板をカッタ手段の長手方向に揺動させると、裁断屑の一部は駆動手段の下側に送り込まれるが、残部は駆動手段とは逆の側に送られてしまい、裁断屑の頂部を平坦に均すことができないという問題がある。そこでオペレータは、片側に堆積した裁断屑の山を、屑箱を時々揺らして平坦に均し、その後裁断を再開するようにしており、裁断屑均し装置を設けた効果が低減するという問題があった。
【０００７】
本発明は、このような点を考慮してなされたもので、カッタ手段の長手方向一端側に駆動手段を配した場合であっても、オペレータの手を煩わせることなく裁断屑の頂部を平坦に均すことができ、しかも屑箱を取出す際に裁断屑均し装置が邪魔にならないシュレッダを提供することを目的とする。
【０００８】
本発明の他の目的は、屑箱を取出す際に、オペレータの手がカッタ手段に触れて怪我をしたり、カッタ手段から裁断屑が落下するのを防止することができるシュレッダを提供するにある。
【０００９】
本発明の他の目的は、カッタ手段および裁断屑均し装置の組立および保守が容易なシュレッダを提供するにある。
【００１０】
本発明のさらに他の目的は、屑箱内が裁断屑で満杯になったことを自動検出して作業性を向上させることができるシュレッダを提供するにある。
【００１１】
【課題を解決するための手段】
前記目的を達成するため本発明は、長手方向一端側に配された駆動手段により駆動されるカッタ手段と、カッタ手段で裁断された裁断屑を収容する屑箱と、カッタ手段の下方に配設され屑箱内に堆積した裁断屑を均す裁断屑均し装置とを具備するシュレッダにおいて、前記裁断屑均し装置を、カッタ手段の長手方向と直交する水平軸廻りに回転する平板状の回転翼と、この回転翼を前記駆動手段の下側に裁断屑を送り込む方向に回転させる駆動機構と、回転翼を水平にして停止させる停止機構とで構成するようにしたことを特徴とする。そして、裁断屑均し装置が回転翼方式であるため、カッタ手段の真下に落下する裁断屑を駆動手段の下側方向にのみ送り込むことができ、屑箱内の空間を有効に利用して、オペレータの手を煩わせることなく、裁断屑の頂部を平坦に均すことが可能となる。また、回転翼は水平状態で停止するので、屑箱を取出す際に邪魔になることがない。
【００１２】
本発明はまた、回転翼を複数設け、かつ各回転翼を、水平状態で停止した際に隣位する回転翼との先端間寸法が一定値以下となる間隔で配置するようにしたことを特徴とする。そしてこれにより、停止状態において、カッタ手段の下面側が各回転翼でほぼ閉止されることになり、屑箱を取出す際に、オペレータの手がカッタ手段に触れて怪我をしたり、あるいはカッタ手段に残っていた裁断屑が落下してくるのを防止することが可能となる。
【００１３】
本発明はまた、裁断屑均し装置とカッタ手段とを、駆動部ユニットとして一体化するようにしたことを特徴とする。そしてこれにより、裁断屑均し装置とカッタ手段とが別体構造である場合に比較して、組立および保守を容易なものとすることが可能となる。
【００１４】
本発明はまた、駆動部ユニットを、ホッパと、このホッパ内に組付けられる一対のカッタローラおよび回転翼と、ホッパ外に組付けられる駆動モータ、駆動機構および停止機構とで構成するようにしたことを特徴とする。そしてこれにより、駆動モータ、駆動機構および停止機構の保守を、ホッパ外から行なうことが可能となり、保守がより容易となるとともに、駆動モータ、駆動機構および停止機構を、裁断屑から保護することが可能となる。
【００１５】
本発明はさらに、駆動部ユニットに満杯検出スイッチを設け、この満杯検出スイッチによる満杯検出を条件に停止機構を起動させるようにしたことを特徴とする。そしてこれにより、屑箱内が裁断屑で満杯になったことを自動検出して作業性を向上させることが可能となり、またその際回転翼は、水平状態で停止することになるので、屑箱を取出す際に邪魔になることがない。
【００１６】
【発明の実施の形態】
以下、本発明の実施の形態を図面を参照して説明する。
【００１７】
図１ないし図４は、本発明の第１の実施の形態に係るシュレッダを示すもので、図中、符号１は平面長方形状をなす本体であり、この本体１の上端面には、投入口２および操作盤３が設けられ、また本体１内部の投入口２直下位置には、図示しない紙類を細片あるいは短冊状に裁断するカッタ手段４が配設されている。そしてこのカッタ手段４は、その長手方向一端側に配設した駆動モータ５により駆動されるようになっている。
【００１８】
カッタ手段４は、支持フレーム６上に設置され下端部に排出口８を有するホッパ７と、このホッパ７内に配置されて相互に噛合する左右一対のカッタローラ９とを備えている。このカッタ手段４は、駆動モータ５によって一対のカッタローラ９を内側に回転させることにより、両カッタローラ９間で紙類を裁断し、裁断された裁断屑１０は、本体１内に引出し可能に配した屑箱１１に排出口８から落下して収容される。
【００１９】
カッタ手段４とその下方に位置する屑箱１１との間には、屑箱１１内に山形状に堆積した裁断屑１０の頂部を均して平坦にする裁断屑均し装置１２が配設されている。
【００２０】
この裁断屑均し装置１２は、図５に示すように、左右一対のフレーム１４を２本の連結材１５で連結して構成される支持枠１３を備えており、この支持枠１３の開口部１６、すなわち２本のフレーム１４と２本の連結材１５とで囲まれた開口部１６は、ホッパ７の排出口８とほぼ一致するよう寸法設定されている。
【００２１】
支持枠１３の開口部１６内には、両端部が両側のフレーム１４に回転自在に支持された回転軸１７ａ，１８ａと、各回転軸１７ａ，１８ａに固設された長手方向の平板状をなす翼板１７ｂ，１８ｂとからなる２個の回転翼１７，１８が並設されており、これら両回転翼１７，１８は、駆動機構１９により図中反時計廻りに回転駆動されるとともに、図５に示す水平状態で停止するようになっている。そして、各翼板１７ｂ，１８ｂは、この水平状態において開口部１６内面との間および相互の先端部間にほとんど隙間がなく、開口部１６をほぼ完全に閉止できるよう寸法設定されている。
【００２２】
駆動機構１９は、各回転軸１７ａ，１８ａの端部に固設されたタイミングプーリ２０，２１と、駆動モータ２２の出力軸に固設されたタイミングプーリ２３と、これら各タイミングプーリ２０，２１，２３の間に巻掛けられた無端状のタイミングベルト２４と、このタイミングベルト２４の中間部を支持する支持ローラ２５とを備えており、両回転翼１７，１８は、前記駆動モータ２２の駆動により同一方向に同一の速度で回転駆動される。
【００２３】
一方、回転翼１７側のタイミングプーリ２０には、図６に示すように、外周部の二箇所に停止位置決め用の切欠き２６がそれぞれ設けられており、これら各切欠き２６には、停止スイッチ２７のローラ部２８が落とし込まれるようになっている。
【００２４】
支持枠１３にはまた、図５に示すように、屑箱１１内が裁断屑１０で満杯になったことを検出する満杯検出スイッチ２９が取付けられており、停止スイッチ２７は、この満杯検出スイッチ２９が満杯状態を検出した後、ローラ部２８が切欠き２６に落とし込まれることにより作動し、駆動モータ２２を急停止させる。そしてこれにより、両回転翼１７，１８は、図５に示す水平状態で停止するようになっている。
【００２５】
次に、本実施の形態の作用について説明する。
【００２６】
操作盤３上の起動スイッチをＯＮにすると、駆動モータ５が起動して両カッタローラ９が内側に回転駆動されるとともに、駆動モータ２２が起動して両回転翼１７，１８が図２において反時計廻りに回転駆動される。
【００２７】
この状態で、オペレータが投入口２から紙類を送り込むと、送り込まれた紙類は両カッタローラ９により細片状あるいは短冊状に裁断される。そして、裁断屑１０はホッパ７の排出口８から落下し、その下方の屑箱１１内に収容される。
【００２８】
ところで、両カッタローラ９は、図１に示すように、本体１の図中左端寄りの部位に設置され、一方屑箱１１は駆動モータ５の下方位置まで拡大されているため、裁断屑１０は、図１の左端側に偏奇して堆積することになる。ところが、両カッタローラ９の下方に堆積した裁断屑１０の頂部は、反時計廻りに回転する２枚の回転翼１７，１８により押されて駆動モータ５の下側の空間に送り込まれ、裁断屑１０の頂部がほぼ平坦に均される。
【００２９】
屑箱１１内が裁断屑１０で満杯になると、満杯検出スイッチ２９が裁断屑１０に接触してこれを検出し、その検出信号により駆動モータ５が停止する。一方、駆動モータ２２は満杯検出スイッチ２９が満杯を検出しただけでは停止せず、満杯検出スイッチ２９が満杯を検出した後、停止スイッチ２７のローラ部２８が切欠き２６に落とし込まれることにより停止する。これにより、両回転翼１７，１８は、図５に示す水平状態で停止することになり、停止した両回転翼１７，１８により、開口部１６およびホッパ７の排出口８がほぼ完全に閉止される。
【００３０】
しかして、２枚の回転翼１７，１８を一方向に回転させて裁断屑１０を駆動モータ５の下側に送り込むようにしているので、屑箱１１内の空間を有効に利用することができるとともに、屑箱内の一方端に裁断屑が偏在することがなくなるのでオペレータの手を煩わせることなく、山形に堆積している裁断屑１０を自動的に平坦にすることができる。
【００３１】
また、２枚の回転翼１７，１８は、常に水平状態で停止するので、屑箱１０を本体１外に引出す際に、各回転翼１７，１８が邪魔になることがない。
【００３２】
また、両回転翼１７，１８は、水平の停止状態において、排出口８および開口部１６をほぼ完全に閉止することになるので、オペレータの手がカッタローラ９に触れて怪我をするおそれがないとともに、屑箱１０を引出す際の振動によりカッタ手段４に残っていた裁断屑１０が落下してきても、２枚の回転翼１７，１８により捕集され、それより下方への落下を防止することができる。
【００３３】
図７ないし図１１は、本発明の第２の実施の形態を示すもので、前記第１の実施の形態におけるカッタ手段４および裁断屑均し装置１２に代え、これらを一体化した駆動部ユニット３０を用いるようにしたものである。
【００３４】
すなわち、この駆動部ユニット３０は、左端板３１ａ、右端板３１ｂ、前面板３１ｃおよび背面板３１ｄを組合わせて構成される角筒状のホッパ３１を備えており、このホッパ３１の下端部には、前面板３１ｃおよび背面板３１ｄの各下端部を内側に屈曲させて形成される幅狭の排出口３２が設けられている。そして、このホッパ３１は、本体１内に配した支持フレーム６上に配置され、左右の端板３１ａ，３１ｂがねじ部材３３および防振部材３４を介し支持フレーム６に固定されている。
【００３５】
ホッパ３１の上端内部には、相互に噛合する一対のカッタローラ９が配設されており、これを駆動する駆動モータ５が、右端板３１ｂの外面に取付けられている。
【００３６】
また、ホッパ３１の下端内部には、２個の回転翼１７，１８が並設されており、排出口３２は、両回転翼１７，１８が水平状態になった際に、これら両回転翼１７，１８によりほぼ完全に閉止されるようになっている。
【００３７】
各回転翼１７，１８は、図１０に示すように、回転軸１７ａ，１８ａと、これら各回転軸１７ａ，１８ａにビス３５を介し中央部が固定された方形板状の翼板１７ｂ，１８ｂとで構成されており、前記各回転翼１７ａ，１８ａは前記ホッパ３１の前面板３１ｃおよび背面板３１ｄに、軸受３６および止めリング３７を介し回転自在に支持されている。そして、これら両回転軸１７ａ，１８ａは、前面板３１ｃの外面側に配設した駆動機構３８により回転駆動されるようになっている。
【００３８】
この駆動機構３８は、図９および図１０に示すように、前記各回転軸１７ａ，１８ａの端部に固設されたタイミングプーリ３９，４０と、駆動モータ４１の出力軸に固設されたタイミングプーリ４２と、これら各タイミングプーリ３９，４０，４２の間に巻掛けられた無端状のタイミングベルト４３とを備えており、前記駆動モータ４１は、前面板３１ｃの外面に突設した２本の支柱４４にビス４５を介し固定されている。そして、前記両回転翼１７，１８は、この駆動モータ４１の駆動により図７において時計廻りに同一の速度で回転駆動されるようになっている。
【００３９】
前記回転翼１８側のタイミングプーリ４３には、図１０および図１１に示すように、外周部の二箇所に停止位置決め用の切欠き４６がそれぞれ設けられており、一方前面板３１ｃのタイミングプーリ４３近傍位置には、取付ブラケット４７を介し停止スイッチ４８が取り付けられ、そのローラ部４９が前記各切欠き４６に落とし込まれるようになっている。
【００４０】
前記ホッパ３１には、図示していないが前記第１の実施の形態の満杯検出スイッチ２９（図５参照）と同様の満杯検出スイッチが設けられており、前記停止スイッチ４８は、この満杯検出スイッチが満杯状態を検出した後、ローラ部４９が切欠き４６に落とし込まれることにより作動し、駆動モータ４１を急停止させるようになっている。そしてこれにより、両回転翼１７，１８は、図１１に示す水平状態で停止する。
【００４１】
なお、その他の点については、前記第１の実施の形態と同一構成となっており、作用も同一である。
【００４２】
しかして、前記第１の実施の形態におけるカッタ手段４と裁断屑均し装置１２とを、駆動部ユニット３０として一体化しているので、組立および保守が容易である。
【００４３】
図１２は、本発明の第３の実施の形態を示すもので、前記第１の実施の形態および第２の実施の形態における翼板１７ｂ，１８ｂに代え、翼板５８ｂ，５８ｂを用いるようにしたものである。
【００４４】
すなわち、各翼板５７ｂ，５８ｂは、長手方向両端部に切欠き５９がそれぞれ設けられた概略Ｚ形の平板状をなし、これら両翼板５７ｂ，５８ｂが水平状態で停止した際に、一方の先端部が他方の切欠き５９に符合するようになっている。
【００４５】
なお、その他の点については、前記各実施の形態と同一構成となっており、作用も同一である。
【００４６】
しかして、両翼板５７ｂ，５８ｂを用いた場合には、切欠き５９を設けることにより、回転軸１７ａ，１８ａから各翼板５７ｂ，５８ｂの先端までの長さを長くすることができ、その分、より多量の裁断屑１０を駆動モータ５の下側に送り込むことができる。
【００４７】
なお、前記各実施の形態においては、２個の回転翼１７，１８を用いる場合について説明したが、その数には制限がなく、１個でもまた３個以上でもよい。
【００４８】
また、前記各実施の形態においては、駆動機構１９，８３の駆動源として、カッタ手段４の駆動モータ５とは別の駆動モータ２２，４１を用いる場合について説明したが、単一の駆動源で両者を駆動するようにしてもよい。
【００４９】
【発明の効果】
以上説明したように本発明は、裁断屑均し装置を、カッタ手段の長手方向と直交する水平軸廻りに回転する平板状の任意数の回転翼と、この回転翼を駆動手段の下側に裁断屑を送り込む方向に回転させる駆動機構と、回転翼を水平にして停止させる停止機構とで構成するようにしているので、回転する回転翼により、裁断屑が駆動手段の下側方向にのみ送り込まれることになり、屑箱の空間を有効に活用できるとともに、裁断屑が屑箱内の一方端に偏在することがなくなりオペレータの手を煩わせることなく、裁断屑の頂部を自動的に平坦に均すことができる。また、回転翼が水平状態で停止するので、屑箱を取出す際に回転翼が邪魔になることがない。
【００５０】
本発明はまた、回転翼を複数設け、かつ各回転翼を水平状態で停止した際に隣位する回転翼との先端間寸法が一定値以下となる間隔で配置するようにしているので、停止状態において、カッタ手段の下面側が各回転翼でほぼ閉止され、屑箱を取出す際に、オペレータの手がカッタ手段に触れて怪我をしたり、あるいはカッタ手段に残っていた裁断屑が落下してくるのを防止することができる。
【００５１】
本発明はまた、裁断屑均し装置とカッタ手段とを、駆動部ユニットとして一体化するようにしているので、裁断屑均し装置とカッタ手段とが別体構造である場合に比較して、組立および保守が容易である。
【００５２】
本発明はまた、駆動部ユニットを、ホッパと、このホッパ内に組付けられる一対のカッタローラおよび回転翼と、ホッパ外に組付けられる駆動モータ、駆動機構および停止機構とで構成するようにしているので、駆動モータ、駆動機構および停止機構の保守をホッパ外から行なうことができ、保守がより容易となるとともに、駆動モータ、駆動機構および停止機構を、裁断屑から保護することができる。
【００５３】
本発明はさらに、駆動部ユニットに満杯検出スイッチを設け、この満杯検出スイッチによる満杯検出を条件に停止機構を起動させるようにしているので、屑箱内が裁断屑で満杯になったとことを自動検出して作業性を向上させることができ、またその際回転翼は、水平状態で停止することになるので、屑箱を取出す際に邪魔になることがない。
【図面の簡単な説明】
【図１】本発明の第１の実施の形態に係るシュレッダにおける裁断屑均し装置の作用を示す説明図。
【図２】図１のシュレッダの縦断面構成図。
【図３】図１のシュレッダの平面図。
【図４】図２のIV−IV線断面図。
【図５】裁断屑均し装置の構成を示す斜視図。
【図６】図５の要部構成図。
【図７】本発明の第２の実施の形態を示す図２相当図。
【図８】図７のVIII−VIII線断面図。
【図９】図７の駆動部ユニットの詳細を示す斜視図。
【図１０】駆動部ユニットの要部分解斜視図。
【図１１】図９の要部構成図。
【図１２】本発明の第３の実施の形態を示す回転翼の構成図。
【符号の説明】
１  本体
２  投入口
４  カッタ手段
５，２２  駆動モータ
７，３１  ホッパ
８，３２  排出口
９  カッタローラ
１０  裁断屑
１１  屑箱
１２  裁断屑均し装置
１３  支持枠
１６  開口部
１７，１８  回転翼
１７ａ，１８ａ  回転軸
１７ｂ，１８ｂ，５７ｂ，５８ｂ  翼板
１９，３８  駆動機構
２０，２１，２３，３９，４０，４２  タイミングプーリ
２４，４３  タイミングベルト
２６，４６，５９  切欠き
２７，４８  停止スイッチ
２８，４９  ローラ部
２９  満杯検出スイッチ
【図１】
0003860877.tif 000002
【図２】
0003860877.tif 000003
【図３】
0003860877.tif 000004
【図４】
0003860877.tif 000005
【図５】
0003860877.tif 000006
【図６】
0003860877.tif 000007
【図７】
0003860877.tif 000008
【図８】
0003860877.tif 000009
【図９】
0003860877.tif 000010
【図１０】
0003860877.tif 000011
【図１１】
0003860877.tif 000012
【図１２】
0003860877.tif 000013